(57)【要約】【課題】リフレクタを透過して漏れ出してくる赤外光がランプコードに照射されるのを防ぐと共に、光源ランプの冷却によって高温となった風が直接ランプコードに当るのを防ぐことが可能となる光源装置及び該光源装置を有する投射型表示装置を提供する。【解決手段】発光管と前記発光管からの光を所定方向に反射させるリフレクタ１０２を有する光源ランプ１と、前記発光管に電力を供給するランプコード１０３ｂ，ｃと、を備えた光源装置において、前記リフレクタの反射面とは反対の面と前記ランプコードとの間に、前記光源ランプからの熱が前記ランプコード１０３ｂへ伝わるのを遮る板部材を設けた構成とする。【選択図】            図３
2006085106.tif 000002
【特許請求の範囲】
【請求項１】
発光管と前記発光管からの光を所定方向に反射させるリフレクタを有する光源ランプと、前記発光管に電力を供給するランプコードと、を備えた光源装置において、
前記リフレクタの反射面とは反対の面と前記ランプコードとの間に、前記光源ランプからの熱が前記ランプコードへ伝わるのを遮る板部材を設けたことを特徴とする光源装置。
【請求項２】
光源ランプと、前記光源ランプに電力を供給するランプコードと、前記光源ランプ側に風を吹き付けるもしくは前記光源ランプ側から風を吸い込むファンと、を備えた光源装置において、
前記光源ランプと前記ランプコードとの間に板部材を設け、前記ファンによって生じた熱風が前記ランプコード側に流れるのを遮るようにしたことを特徴とする光源装置。
【請求項３】
前記光源ランプは、発光管と、前記発光管からの光を所定方向に反射させるリフレクタを有し、
前記ファンは、少なくとも前記リフレクタの外周面側を冷却するためのものであり、
前記板部材は前記リフレクタの外周面と前記リフレクタ側に配置されたランプコードとの間に設けられていることを特徴とする請求項２に記載の光源装置。
【請求項４】
前記板部材は、前記光源ランプからの赤外光が前記ランプコードへ伝わるのを遮ることを特徴とする請求項１〜３のいずれか１項に記載の光源装置。
【請求項５】
前記板部材が、前記光源ランプを固定するための押え部材を兼ねていることを特徴とする請求項１〜４のいずれか１項に記載の光源装置。
【請求項６】
請求項１〜５のいずれか１項に記載の光源装置からの光を用いて、画像を被投射面上に投射することを特徴とする投射型表示装置。
【発明の詳細な説明】
【技術分野】
【０００１】
本発明は、光源装置及び該光源装置を有する投射型表示装置（透過型液晶プロジェクタや反射型液晶プロジェクタ）に関するものである。
【背景技術】
【０００２】
現在、プロジェクタのような投射型表示装置が近年のＰＣやそれに付随するソフトの開発に伴い、ビジネス現場や学校などでの公共施設での使用頻度が増え、商用の広告塔として街中で使用されるほか、オリンピックなどのスポーツ観戦など大勢でのイベント的な使われ方が広まっている。つまり、広告塔にしてもホームでのイベント的な使用にしても、暗くした部屋での使用に留まらず、実生活で弊害のない明るさのもと投射型表示装置を使用する場が増えてきており、このような環境においても視認性の高い高輝度な投射型表示装置が求められている。そこで、光源ランプの光利用率を高めるのは当然のことながら、高輝度の発光が可能な高出力ランプが頻繁に使用されるようになってきている。
【０００３】
プロジェクタ等に用いる光源はハロゲンランプ、キセノンランプ、メタルハライドランプ、高圧水銀放電ランプなどが知られているが、近年、その投入電力に対する光強度への変換効率の高さから、高圧水銀放電ランプが多用されるようになっている。
この高圧水銀放電ランプは図５に示すような略中央に球体部１０１ａを持つガラス管の中に陰極１０１ｂ’および陽極１０１ｃ’の電極が対向して配置され、該ガラス管の中にガスや水銀などが封入された１０１発光管と、その発光管からの光を平行光に変換するための反射鏡を有するリフレクタ１０２、そして前記陰極および陽極の電極に電力を供給する２本のランプコード１０３ｂおよび１０３ｃ、ランプへの電力供給電源と接続するためのコネクタ１０４から構成されている。
【０００４】
ここで、ランプコードは電気的短絡が起きないようにするために、例えばシリコンゴムなどの耐熱ゴムで覆われているのが一般的である。
また、前記発光管を構成する発光管や電極部には、例えば発光管球体部１０１ａは９００℃以上１０００℃以下、そして発光管陽極部１０１ｂおよびネック部１０１ｃには４２０℃以下と言った推奨温度条件が設定され、これを守ることでランプ発光管での安定発光、高効率発光、長寿命などが保障されている。
そのため、前記光源ランプを使用する際には、様々な方法を用いて該光源ランプが上述した推奨温度条件を満たすように冷却する手段として、例えば特許文献１のように、発熱体であるランプ本体とランプカバーの間に板部材を設けてランプカバーの外部からランプコード側に冷却風を流して、光源ランプを冷却する冷却構造が知られている。
【特許文献１】特開２００２−２４４２１０号公報
【発明の開示】
【発明が解決しようとする課題】
【０００５】
しかしながら、前述したように投射型表示装置としての高輝度化が期待され、ランプが高出力になるに伴い、該ランプからの発熱量も増大していくのは前記放電ランプを使用している限り避けられない事実である。その結果、光源ランプ周辺の部材の多くも高温となり、上述したランプコードに使用したゴム被覆も例外なく高温となる。このような状況のもとで、特許文献１のような構成をとった場合、リフレクタ背面から漏れ出してくる赤外光による輻射熱だけでなく、例えば高温になった風がコードの方向に流れるなど、周囲の空気を介した熱伝導によってもランプコード温度が高温になってしまい、コードを覆う被覆耐熱温度を超過してしまうという問題が生じる。
【０００６】
そこで、例えばコードをランプよりも風上側（ファンとランプの間）に配置する対策もあるが、この場合、コード自体がファンからの送風を妨害するため光源ランプの冷却効率を低下させる原因となってしまう。また、他にも熱密度を下げるためにスペースを広げ、ランプコードと光源ランプとの距離をできるだけ離すという対策もあるが、これは装置を小型化する上で大きなデメリットとなる。また、コード被覆に更なる耐熱用の被覆を使用するという対策もあるがコスト面で負荷となってしまう。
【０００７】
また、被覆を除去して電線を剥き出しにする手段も採られるが、この場合には前述したように電気的短絡が起きてしまい、その機能を充分に果たせないばかりでなく、危険である。
また、高出力のランプは当然のことながら供給される電力も増大するため、ランプコードの線経が増し、コード自体の腰が強くなるためランプコードの配線（引き回し）が困難になってしまう。その結果、ランプコード自体が高温となるリフレクタと接触してしまい、最悪の場合、発煙することも生じる。
【０００８】
本発明は、上記課題に鑑み、リフレクタを透過して漏れ出してくる赤外光がランプコードに照射されるのを防ぐと共に、光源ランプの冷却によって高温となった風が直接ランプコードに当るのを防ぐことが可能となる光源装置及び該光源装置を有する投射型表示装置を提供することを目的とするものである。
【課題を解決するための手段】
【０００９】
本発明は、以下のように構成した光源装置及び該光源装置を有する投射型表示装置を提供するものである。
すなわち、本発明の光源装置は、発光管と前記発光管からの光を所定方向に反射させるリフレクタを有する光源ランプと、前記発光管に電力を供給するランプコードと、を備えた光源装置において、前記リフレクタの反射面とは反対の面と前記ランプコードとの間に、前記光源ランプからの熱が前記ランプコードへ伝わるのを遮る板部材を設けたことを特徴としている。
また、本発明の光源装置は、光源ランプと、前記光源ランプに電力を供給するランプコードと、前記光源ランプ側に風を吹き付けるもしくは前記光源ランプ側から風を吸い込むファンと、を備えた光源装置において、前記光源ランプと前記ランプコードとの間に板部材を設け、前記ファンによって生じた熱風が前記ランプコード側に流れるのを遮るようにしたことを特徴としている。
また、本発明の投射型表示装置は、上記した光源装置からの光を用いて、画像を被投射面上に投射することを特徴としている。
【発明の効果】
【００１０】
本発明によれば、リフレクタを透過して漏れ出してくる赤外光がランプコードに照射されるのを防ぐと共に、光源ランプの冷却によって高温となった風が直接ランプコードに当るのを防ぐことが可能となる光源装置及び該光源装置を有する投射型表示装置を実現することができる。
【発明を実施するための最良の形態】
【００１１】
本発明は、上記した構成により本発明の課題を達成することを可能としたものである。具体的には、例えば光源装置において、前記光源ランプと前記ランプコードとの間に板部材を設けることで、リフレクタを透過して漏れ出してくる赤外光がランプコードに照射されるのを防ぐだけでなく、更に光源ランプを冷却し、高温となった風が直接ランプコードに当るのを防ぐことで、コードの温度上昇を抑制する。そうすることで、ランプコードを光源ランプから離す必要がなくなり、配線スペースを小さくすることができ装置の小型化を行うことができる。また、ランプコード温度の上昇を抑制できることから、高耐熱用のランプコード使用が不要になり低コストな装置を実現することができる。
更に、上述したような板部材を前記光源ランプと前記ランプコードとの間に設けることで、ランプコードが不意な事でリフレクタに接触するのを防止し、ランプコード被覆の変色や発煙を防止し、ユーザーが安心して使用できる装置を実現することができる。
【実施例】
【００１２】
以下に、本発明の実施例について説明するが、本発明はこれらの実施例によって何ら限定されるものではない。
［実施例１］
実施例１は、本発明を適用して光源装置を搭載した投射型画像表示装置を構成したものである。
図１に本実施例における投射型画像表示装置の概略図を示す。
図１において、１は光源ランプ、２はランプ１を保持するランプホルダー、３は防爆ガラス、４はガラス押さえ、αはランプ１からの光を入射する照明光学系、βは照明光学系からの出射光を入射するＲＧＢの３色用の液晶パネルを備えた色分解合成光学系、５は色分解合成光学系からの出射光を入射して図示せぬスクリーン（被投射面）に画像を投射する投射レンズ鏡筒であり、投射レンズ鏡筒５内には後述する投射レンズ光学系を収納している。６はランプ１、照明光学系α、色分解合成光学系βを収納するとともに投射レンズ５が固定される光学ボックスであり、該光学ボックス６にはランプ１の周囲を囲むランプ周辺部材としてのランプケース部材６ａが形成されている。
【００１３】
７は光学ボックス６内に照明光学系α、色分解合成光学系βを収納した状態で蓋をする光学ボックス蓋、８は電源、９は電源フィルタ、１０はランプ１を点灯する為のバラスト電源、１１は電源８からの電力により液晶パネルの駆動、及びランプ１の点灯指令を送る為の回路基板、１２は後述する外装キャビネット２１の吸気口２１ａから空気を吸い込むことで色分解合成光学系β内の液晶パネル等の光学素子を冷却する為の光学系用の冷却ファン、１３は光学冷却ファン１２による風を色分解合成光学系β内の液晶パネル等の光学素子に送る為のファンダクトである。
【００１４】
１４はランプ１に対して吹き付け風を送り、ランプ１を冷却する為の光源ランプ用の冷却ファンであり、ランプ１と投射レンズ鏡筒５との間隙に所定間隔を持って配置されている。１５はランプ冷却ファン１４を保持するファン保持台、１６はファン押さえ板、１７は後述する外装キャビネット２１に設けた吸気口２１ｂから空気を吸い込むことで電源８内に風を流通させ、かつバラスト電源１０に吹き付け力による風を流通させることで電源８、及びバラスト電源１０を同時に冷却する為の電源用の冷却ファンである。
１８は排気ファンであり、排気ファン１８はランプ冷却ファン１４によるランプ１を通過した後の熱風、およびバラスト電源１０を通過した熱風を後述する外装を構成する側板Ｂ２４に設けた排気口２４ａより投射型画像表示装置外に排出する。
【００１５】
１９はランプ放熱板、２０はランプ排気遮光マスクであり、ランプ１の放熱機能およびランプ１を通過した後の熱風を通過させる為の通風ダクトの機能を有するとともに、ランプ１からの光が装置外部に漏れないような遮光機能を有している。
２１は光学ボックス６等を収納する為の外装キャビネット（外装ケース下部）、２２は外装キャビネット２１に光学ボックス６等を収納した状態で蓋をする為の外装キャビネット蓋（外装ケース上部）、２３は側板Ａ、２４は側板Ｂであり、外装キャビネット２１には上述した吸気口２１ａ、２１ｂが形成されており、側板Ｂ２４には上述した排気口２４ａが形成されている。
【００１６】
２５は色分解合成光学系β内の偏光素子等の光学素子を冷却するための冷却ファンであり、冷却ファン２５は外装キャビネット２１の図示を省略した吸気口からの空気を外装キャビネット２１に形成されたダクト部（図示省略）を介して色分解合成光学系β内の偏光素子等の光学素子に吹き付ける構成となっている。
２６は側板Ａ２３の内側に取り付けられたインターフェース補強板、２７は外装放熱板でランプケース部材６ａに取り付けられており、ランプ１からの熱を放熱する。
２８はランプ蓋で、ランプ蓋２８は外装キャビネット２１の底面に着脱自在に設けられており、図示を省略したビスにより固定されている。また、２９はセット調整脚で、セット調整脚２９は外装キャビネット２１に固定されており、その脚部２９ａの高さを調整可能となっている。脚部２９ａの高さ調整により、装置本体の傾斜角度を調整できるように構成されている。
【００１７】
次に、前述したランプ１、照明光学系α、色分解合成光学系β、投射レンズ鏡筒５内の投射レンズ光学系７０（図２参照）にて構成される反射型液晶表示素子（反射型液晶パネル等の画像形成素子）を搭載した投射型画像表示装置の光学構成について図２にて説明する。
図２において、４１は連続スペクトルで白色光を発光する発光管、４２は発光管４１からの光を所定の方向に集光するリフレクターであり、発光管４１とリフレクター４２によりランプ１を形成する。
【００１８】
４３ａは垂直方向（ランプ１からの光の進行方向における垂直方向（紙面垂直方向））において屈折力を有するレンズアレイで構成された第１のシリンダアレイ、４３ｂは第１のシリンダアレイ４３ａの個々のレンズに対応したレンズアレイを有する第２のシリンダアレイ、４４は紫外線吸収フィルタ、４５は無偏光光を所定の偏光光に揃える偏光変換素子である。
４６は水平方向において屈折力を有するシリンドリカルレンズで構成されたフロントコンプレッサ、４７は光軸を９０度変換する為の全反射ミラー、４８はコンデンサーレンズ、４９は水平方向において屈折力を有するシリンドリカルレンズで構成されたリアコンプレッサである。以上により照明光学系αが構成される。  ５８は青（Ｂ）と赤（Ｒ）の波長領域の光を反射し、緑（Ｇ）の波長領域の光を透過するダイクロイックミラーであり、５９は透明基板に偏光素子を貼着したＧ用の入射側偏光板であり、Ｓ偏光光のみを透過する。６０はＰ偏光光を透過し、Ｓ偏光光を反射する第１の偏光ビームスプリッターであり、偏光分離面を有する。
６１Ｒ，６１Ｇ，６１Ｂはそれぞれ入射した光を反射するとともに画像変調する赤用の反射型液晶表示素子、緑用の反射型液晶表示素子、青用の反射型液晶表示素子である。６２Ｒ，６２Ｇ，６２Ｂはそれぞれ、赤用の１／４波長板、緑用の１／４波長板、青用の１／４波長板である。６４は透明基板に偏光素子を貼着したＲＢ用の入射側偏光板であり、Ｓ偏光のみを透過する。６５はＢの光の偏光方向を９０度変換し、Ｒの光の偏光方向は変換しない第１の色選択性位相差板である。６６はＰ偏光を透過し、Ｓ偏光を反射する第２の偏光ビームスプリッターであり、偏光分離面を有する。６７はＲの光の偏光方向を９０度変換し、Ｂの光の偏光方向は変換しない第２の色選択性位相差板である。
６８はＲＢ用の出射側偏光板（偏光素子）であり、Ｓ偏光のみを透過する。６９はＰ偏光を透過し、Ｓ偏光を反射する第３の偏光ビームスプリッター（色合成手段）であり、偏光分離面を有する。
【００１９】
以上のダイクロイックミラー５８から第３の偏光ビームスプリッター６９により、色分解合成光学系βが構成される。
７０は投射レンズ光学系であり、上記照明光学系，色分解合成光学系および投射レンズ光学系により画像表示光学系が構成される。
【００２０】
次に光学的な作用を説明する。
発光管４１から発した光はリフレクター４２により所定の方向に集光される。リフレクター４２は放物面形状を有しており、放物面の焦点位置からの光は放物面の対称軸に平行な光束となる。但し、発光管４１からの光源は理想的な点光源ではなく有限の大きさを有しているので、集光する光束には放物面の対称軸に平行でない光の成分も多く含まれている。これらの光束は、第１のシリンダアレイ４３ａに入射する。第１のシリンダアレイ４３ａに入射した光束はそれぞれのシリンダレンズに応じた複数の光束に分割、集光され（水平方向に帯状の複数の光束）、紫外線吸収フィルタ４４を介して、第２のシリンダアレイ４３ｂを経て、複数の光束（水平方向に帯状の複数の光束）を偏光変換素子４５の近傍に形成する。
【００２１】
偏光変換素子４５は、偏光分離面と反射面と１／２波長板とからなり、複数の光束は、その列に対応した偏光分離面に入射し、透過するＰ偏光成分の光と反射するＳ偏光成分の光に分割される。反射されたＳ偏光成分の光は反射面で反射し、Ｐ偏光成分と同じ方向に出射する。一方、透過したＰ偏光成分の光は、１／２波長板を透過してＳ偏光成分と同じ偏光成分に変換され、偏光方向が揃った光として出射する。偏光変換された複数の光束（水平方向に帯状の複数の光束）は、偏光変換素子４５を出射した後、フロントコンプレッサ４６を介して、反射ミラー４７にて９０度反射し、コンデンサーレンズ４８、リアコンプレッサ４９に至る。
【００２２】
ここで、フロントコンプレッサ４６、コンデンサーレンズ４８、リアコンプレッサ４９の光学的作用の関係で、複数の光束は矩形形状の像が重なった形で矩形の均一な照明エリアが形成されることになる。この照明エリアに後述の反射型液晶表示素子６１Ｒ、６１Ｇ、６１Ｂを配置する。次に、偏光変換素子４５によりＳ偏光とされた光は、ダイクロイックミラー５８に入射する。尚、ダイクロイックミラー５８は、Ｂ（４３０〜４９５ｎｍ）とＲ（５９０〜６５０ｎｍ）の光は反射し、Ｇ（５０５〜５８０ｎｍ）の光は透過する。
【００２３】
次に、Ｇの光路について説明する。
ダイクロイックミラー５８を透過したＧの光は入射側偏光板５９に入射する。尚、Ｇの光はダイクロイックミラー５８によって分解された後もＳ偏光となっている。そしてＧの光は、入射側偏光板５９から出射した後、第１の偏光ビームスプリッター６０に対してＳ偏光として入射して偏光分離面で反射され、Ｇ用の反射型液晶表示素子６１Ｇへと至る。Ｇ用の反射型液晶表示素子６１Ｇにおいては、Ｇの光が画像変調されて反射される。画像変調されたＧの反射光のうちＳ偏光成分は、再び第１の偏光ビームスプリッター６０の偏光分離面で反射し、光源側に戻され、投射光から除去される。一方、画像変調されたＧの反射光のうちＰ偏光成分は、第１の偏光ビームスプリッター６０の偏光分離面を透過し、投射光として第３の偏光ビームスプリッター６９に向かう。このとき、すべての偏光成分をＳ偏光に変換した状態（黒を表示した状態）において、第１の偏光ビームスプリッター６０とＧ用の反射型液晶表示素子６１Ｇとの間に設けられた１／４波長板６２Ｇの遅相軸を所定の方向に調整することにより、第１の偏光ビームスプリッター６０とＧ用の反射型液晶表示素子６１Ｇで発生する偏光状態の乱れの影響を小さく抑えることができる。第１の偏光ビームスプリッター６０から出射したＧの光は、第３の偏光ビームスプリッター６９に対してＰ偏光として入射し、第３の偏光ビームスプリッター６９の偏光分離面を透過して投射レンズ７０へと至る。
【００２４】
一方、ダイクロイックミラー５８を反射したＲとＢの光は、入射側偏光板６４に入射する。尚、ＲとＢの光はダイクロイックミラー５８によって分解された後もＳ偏光となっている。そしてＲとＢの光は、入射側偏光板６４から出射した後、第１の色選択性位相差板６５に入射する。第１の色選択性位相差板６５は、Ｂの光のみ偏光方向を９０度回転する作用を持っており、これによりＢの光はＰ偏光として、Ｒの光はＳ偏光として第２の偏光ビームスプリッター６６に入射する。Ｓ偏光として第２の偏光ビームスプリッター６６に入射したＲの光は、第２の偏光ビームスプリッター６６の偏光分離面で反射され、Ｒ用の反射型液晶表示素子６１Ｒへと至る。また、Ｐ偏光として第２の偏光ビームスプリッター６６に入射したＢの光は、第２の偏光ビームスプリッター６６の偏光分離面を透過してＢ用の反射型液晶表示素子６１Ｂへと至る。
【００２５】
Ｒ用の反射型液晶表示素子６１Ｒに入射したＲの光は画像変調されて反射される。画像変調されたＲの反射光のうちＳ偏光成分は、再び第２の偏光ビームスプリッター６６の偏光分離面で反射されて光源側に戻され、投射光から除去される。一方、画像変調されたＲの反射光のうちＰ偏光成分は第２の偏光ビームスプリッター６６の偏光分離面を透過して投射光として第２の色選択性位相板６７に向かう。
また、Ｂ用の反射型液晶表示素子６１Ｂに入射したＢの光は画像変調されて反射される。画像変調されたＢの反射光のうちＰ偏光成分は、再び第２の偏光ビームスプリッター６６の偏光分離面を透過して光源側に戻され、投射光から除去される。一方、画像変調されたＢの反射光のうちＳ偏光成分は第２の偏光ビームスプリッター６６の偏光分離面で反射して投射光として第２の色選択性位相板６７に向かう。
【００２６】
このとき、第２の偏光ビームスプリッター６６とＲ用，Ｂ用の反射型液晶表示素子６１Ｒ，６１Ｂの間に設けられた１／４波長板６２Ｒ，６２Ｂの遅相軸を調整することにより、Ｇの場合と同じようにＲ，Ｂそれぞれの黒の表示の調整を行うことができる。
こうして１つの光束に合成され、第２の偏光ビームスプリッター６６から出射したＲとＢの投射光のうちＲの光は、第２の色選択性位相板６７によって偏光方向が９０度回転されてＳ偏光成分となり、さらに出射側偏光板６８で検光されて第３の偏光ビームスプリッター６９に入射する。また、Ｂの光はＳ偏光のまま第２の色選択性位相板６７をそのまま透過し、さらに出射側偏光板６８で検光されて第３の偏光ビームスプリッター６９に入射する。尚、出射側偏光板６８で検光されることにより、ＲとＢの投射光は第２の偏光ビームスプリッター６６とＲ用，Ｂ用の反射型液晶表示素子６１Ｒ，６１Ｂ、１／４波長板６２Ｒ、６２Ｂを通ることによって生じた無効な成分をカットされた光となる。
【００２７】
そして、第３の偏光ビームスプリッター６９に入射したＲとＢの投射光は第３の偏光ビームスプリッター６９の偏光分離面を反射し、前述した該偏光分離面にて反射したＧの光と合成されて投射レンズ７０に至る。
そして、合成されたＲ，Ｇ，Ｂの投射光は、投射レンズ７０によってスクリーンなどの被投射面に拡大投影される。
【００２８】
以上説明した光路は反射型液晶表示素子が白表示の場合である為、以下に反射型液晶表示素子が黒表示の場合での光路を説明する。
まず、Ｇの光路について説明する。
ダイクロイックミラー５８を透過したＧの光のＳ偏光光は入射側偏光板５９に入射し、その後、第１の偏光ビームスプリッター６０に入射して偏光分離面で反射され、Ｇ用の反射型液晶表示素子６１Ｇへと至る。しかし、反射型液晶表示素子６１Ｇが黒表示の為、Ｇの光は画像変調されないまま反射される。従って、反射型液晶表示素子６１Ｇで反射された後もＧの光はＳ偏光光のままである為、再び第１の偏光ビームスプリッター６０の偏光分離面で反射し、入射側偏光板５９を透過して光源側に戻され、投射光から除去される。
【００２９】
次に、ＲとＢの光路について説明する。
ダイクロイックミラー５８を反射したＲとＢの光のＳ偏光光は、入射側偏光板６４に入射する。そしてＲとＢの光は、入射側偏光板６４から出射した後、第１の色選択性位相差板６５に入射する。第１の色選択性位相差板６５は、Ｂの光のみ偏光方向を９０度回転する作用を持っており、これによりＢの光はＰ偏光として、Ｒの光はＳ偏光として第２の偏光ビームスプリッター６６に入射する。Ｓ偏光として第２の偏光ビームスプリッター６６に入射したＲの光は、第２の偏光ビームスプリッター６６の偏光分離面で反射され、Ｒ用の反射型液晶表示素子６１Ｒへと至る。また、Ｐ偏光として第２の偏光ビームスプリッター６６に入射したＢの光は、第２の偏光ビームスプリッター６６の偏光分離面を透過してＢ用の反射型液晶表示素子６１Ｂへと至る。ここでＲ用の反射型液晶表示素子６１Ｒは黒表示の為、Ｒ用の反射型液晶表示素子６１Ｒに入射したＲの光は画像変調されないまま反射される。従って、Ｒ用の反射型液晶表示素子６１Ｒで反射された後もＲの光はＳ偏光光のままである為、再び第１の偏光ビームスプリッター６０の偏光分離面で反射し、入射側偏光板６４を通過して光源側に戻され、投射光から除去される為、黒表示となる。
【００３０】
一方、Ｂ用の反射型液晶表示素子６１Ｂに入射したＢの光はＢ用の反射型液晶表示素子６１Ｂが黒表示の為、画像変調されないまま反射される。従って、Ｂ用の反射型液晶表示素子６１Ｂで反射された後もＢの光はＰ偏光光のままである為、再び第１の偏光ビームスプリッター６０の偏光分離面を透過し、第１の色選択性位相差板６５により、Ｓ偏光に変換され、入射側偏光板６４を透過して光源側に戻されて投射光から除去される。
以上が、反射型液晶表示素子（反射型液晶パネル）を使用した投射型画像表示装置での光学構成である。
【００３１】
次に、図１に示された光源ランプ（光源）周辺について図３〜図５を用いて詳しく説明する。
光源ランプ（例えば高圧水銀放電ランプ）１は図５に示すように球体部１０１ａの内部に電極１０１ｂ’と１０１ｃ’が対向して配置された発光管１０１と、前記発光管から光を平行光に変換するリフレクタ１０２と電極１０１ｂ’および１０１ｃ’に電力を供給するためのランプコード１０３ｂおよび１０３ｃ、そして電力を供給する電源と繋ぐためのコネクタ１０４より構成されている。ここで、電極１０１ｂ’と１０１ｃ’は、陰極および陽極のどちらでも同様であるが、本実施例では１０１ｂ’を陽極、１０１ｃ’を陰極として説明する。
【００３２】
前記光源１は押えバネなどの押し付け部材によって光源保持部材（ランプホルダ）２に固定される。前記ランプホルダ２には、冷却風の入り口となる開口（不図示）と冷却後の風の出口となる開口２ｂおよび２ｃが設けられている。また、前記ランプホルダには前面ガラス（防爆ガラス）３がガラス押え４によりランプホルダ２に取付けられている。また、陽極側ランプコード１０３ｂはリフレクタに設けられた微小な穴からハトメ等の金具によって固定され、ランプ外部に引き出されている。該ランプコードはランプ点燈時に高電圧かつ大電流が流れるため、電気的短絡を防止することを目的として大概の場合は耐熱ゴム系の被覆で覆われているのが一般的である。また、陰極側のランプコード１０３ｃは光源ランプからの背面から引き出され陽極側ランプコード１０３ｂと同様に被覆で覆われ、ランプコード１０３ｂおよび１０３ｃは前記コネクタ１０４に接続され、該コネクタはランプホルダ２に固定される。（図５参照）
ここで、本構成では前記複数の開口が前記ランプホルダ２に設けられた構成を示しているが、この吸気用の開口および排気用の開口２ｂおよび２ｃがリフレクタに設けられた構成でも良く、前記開口の大きさ個数にもよらない。更に前面ガラス３もリフレクタに接着された構成でも良く、この場合ガラス押え４は不要となる。
本実施例においては、板部材２ａを前記リフレクタ１０２と前記ランプコード１０３ｂとの間に設けることで、光源ランプ１で発生した熱を前記ランプコード１０３ｂに伝わるのを防止することができる。
【００３３】
光源１の側面には冷却用ファン１４が配置され、ファン１４は複数の開口を有するファン保持台１５にファン押え板１６によって固定されている。
このような構成にすることで、ファン１４から送風された冷却風はファン保持台１５に設けた開口（ファンダクト）１５ａを通過し、冷却風の一部は前記ランプホルダ２に設けられた開口からリフレクタ１０２内部に送り込まれ、開口２ｂおよび２ｃから排気される。
一方、ファン保持台１５の開口１５（ファン吹付け口）ｂを通過した風はリフレクタ１０２の外面にぶつかり、リフレクタ１０２の冷却を行う。その様子を図４に示す。前記リフレクタ１０２は光源ランプ点燈中には数１００℃にも達し、それを冷却した風も１００℃近い風になってしまう。そして、リフレクタの冷却によって生じた熱風がファンの送風により図４中、右方向に押し出され、板部材２ａによってその流れを遮られることによって、配置されているランプコード１０３ｂに熱風が到達しない構成とする。
このようにすることで、ランプコードを高熱の風から守り、温度の上昇を抑制することができる。また、高温になるリフレクタ１０２とランプコード１０３ｂの間に板部材２ａを設けることで、不意の出来事によるリフレクタとランプコードの接触を防ぐことも可能となる。
また、単に板部材２ａを設けるとコストアップを招いてしまうので、図４に示すように光源ランプをランプホルダ２に固定する押え部材と一体化することで部品点数の増加を防ぎ、コストへも悪影響を与えることがない。
【図面の簡単な説明】
【００３４】
【図１】本発明の実施例１における光源装置を搭載した投影型画像表示装置の全体構成を示す図。
【図２】本発明の実施例１における光源装置を搭載した投影型画像表示装置の光学構成を示す図。
【図３】本発明の実施例１における光源装置の構成を示す図。
【図４】本発明の実施例１における光源装置内の冷却風の流れを説明する図。
【図５】一般的に用いられる光源ランプの構造を説明する図。
【符号の説明】
【００３５】
１：光源ランプ
２：ランプホルダ
２ａ：板部材
２ｂ：排気用開口
２ｃ：排気用開口
３：防爆ガラス
４：ガラス押さえ
１４：ランプ冷却ファン
１５：ファン保持台
１５ａ：ファンダクト
１５ｂ：ファン吹付け口
１６：ファン押さえ板
１０１ｂ：発光管陽極部
１０２：リフレクタ
１０３ｂ：陽極側ランプコード
１０３ｃ：陰極側ランプコード
【図１】
2006085106.tif 000003
【図２】
2006085106.tif 000004
【図３】
2006085106.tif 000005
【図４】
2006085106.tif 000006
【図５】
2006085106.tif 000007